(57)【要約】  【課題】ワンタッチ等の簡単な操作でＬＤＡＰ検索を行うことができる画像通信装置を提供する。  【解決手段】ユーザがワンタッチダイヤル送信を選択すると、ＬＣＤ表示部の表示画面にワンタッチ送信の宛先指定の初期画面が表示され（ステップ101）、いずれかのワンタッチキーが選択されて送信処理が実行されると（ステップ102）、選択されたワンタッチキーの属性がＬＤＡＰか否かが判定される（ステップ103）。ＬＤＡＰである場合、ワンタッチキーに登録されたＬＤＡＰ検索用キーワードがＬＤＡＰサーバに送信されてＬＤＡＰ検索が起動される（ステップ107）。そして、ＬＤＡＰサーバから検索結果を受信すると、検索結果の送信相手先情報がＦＡＸ番号かメールアドレスかを判定し（ステップ104）、ファクシミリ送信またはメール送信が行われる（ステップ105、106）。  【選択図】図５
2006203642.tif 000002
【特許請求の範囲】
【請求項１】
宛先を指定するワンタッチキーを備えた画像通信装置において、
上記ワンタッチキーにデータベース検索用のキーワードを登録可能とし、キーワードが登録されているワンタッチキーが押下されたとき、当該ワンタッチキーに登録されているキーワードでデータベース検索が行われることを特徴とする画像通信装置。
【請求項２】
短縮ダイヤルを指定することにより宛先指定を行う画像通信装置において、
上記短縮ダイヤルにデータベース検索用のキーワードを登録可能とし、キーワードが登録されている短縮ダイヤルが指定されたとき、当該短縮ダイヤルに登録されているキーワードでデータベース検索が行われることを特徴とする画像通信装置。
【請求項３】
宛先が記憶されたアドレス帳により宛先を指定する画像通信装置において、
アドレス帳の宛先にデータベース検索用のキーワードを登録可能とし、キーワードが登録されたアドレス帳の宛先が選択されたとき、当該宛先に登録されているキーワードでデータベース検索が行われることを特徴とする画像通信装置。
【発明の詳細な説明】
【技術分野】
【０００１】
本発明は、画像通信装置に関し、特にワンタッチキーや短縮ダイヤル、アドレス帳等を利用して宛先指定を行う画像通信装置に関する。
【背景技術】
【０００２】
複写機能、ファクシミリ機能、プリント機能、スキャナ機能等を有する最近のデジタル複合機やファクシミリ装置等の画像通信装置は、宛先を指定するためのテンキー、スタートキー等の各種キーを備えるとともに、指定した宛先を表示したり、装置の動作状態や種々の機能の操作画面を表示するためのＬＣＤ表示器等の表示装置を備え、ユーザは、テンキーにより宛先を入力し、それを表示装置で確認してファクシミリ送信を行っている。
【０００３】
また、頻繁に送信が行われる宛先の場合には、このような宛先をワンタッチキーや短縮ダイヤルに割り当てたり、大型のＬＣＤ表示器を備えたものでは、ＬＣＤ表示部にワンタッチキーを表示し、これらのワンタッチキーを選択したり、短縮番号を入力することにより所望の宛先にファクシミリ送信を行うことが可能になっている。
しかしながら、ワンタッチキーや短縮ダイヤルの数には限りがあるとともに、多くのＥメールアドレスやＦＡＸ電話番号を画像通信装置に登録すると、画像通信装置のメモリを消費することになり、メモリが不足するという事態が生じる。
【０００４】
さらに、このような画像通信装置において、ユーザが送信宛先である、ＥメールアドレスやＦＡＸ電話番号を参照する場合、画像通信装置に登録されたアドレス帳を参照したり、あるいは、ユーザ個人のパーソナルコンピュータ（以下、パソコンという）に登録されているアドレス帳を参照してＥメールアドレスやＦＡＸ電話番号を知ることもできるようになっている。
【０００５】
ところで、企業等のように、画像通信装置を多くのユーザが利用する場合、利用ユーザ全体の個人アドレス帳を利用することができないため、利用ユーザ全体がすべてのアドレス帳を利用できるようにするためには、多くの利用ユーザのアドレス帳を画像通信装置に登録しなければならず、その登録作業が煩わしいとともに、画像通信装置のメモリを消費するという問題がある。
【０００６】
このため、画像通信装置が設置される通信ネットワークに多くのＥメールアドレスやＦＡＸ電話番号を登録することができるＬＤＡＰサーバを設けることが提案されている。このＬＤＡＰサーバを利用する場合、画像通信装置から検索用キーワードをＬＤＡＰサーバに送信すると、検索用キーワードに該当するＥメールアドレスあるいはＦＡＸ電話番号が返送されるので、多くのユーザが容易に宛先を指定して画像送信を行うことができる（例えば、特許文献１参照。）。
【特許文献１】特開２００４−２８２３９４号公報
【０００７】
なお、ＬＤＡＰ（Lightweight  Directory  Access  Protocol）は、サーバ／クライアント型のモデルで構成されており、ディレクトリ情報を格納するサーバ（ディレクトリサーバ）と、それにアクセスするクライアントとの間のリクエスト／レスポンス型のメッセージ転送プロトコルを定義しているものである。
【発明の開示】
【発明が解決しようとする課題】
【０００８】
上記のように、画像通信装置が設置される通信ネットワークにＬＤＡＰサーバを設けることにより、ＬＤＡＰサーバからＥメールアドレスあるいはＦＡＸ電話番号を受信して画像送信を行うことが可能となるが、ＬＤＡＰサーバを利用するためには、検索用のキーワードを入力しなければならない。
しかしながら、画像通信装置の表示・操作部は、大型のＬＣＤ表示器を備えたものであっても、操作部が小さく、検索用キーワードの入力に手間と時間がかかるという問題があった。
【０００９】
本発明は、上記の問題に鑑みてなされたもので、ワンタッチ等の簡単な操作でＬＤＡＰ検索を行うことができる画像通信装置を提供することを目的とする。
【課題を解決するための手段】
【００１０】
上述の目的を達成するため、請求項１に係る発明の画像通信装置は、宛先を指定するワンタッチキーを備えた画像通信装置において、上記ワンタッチキーにデータベース検索用のキーワードを登録可能とし、キーワードが登録されているワンタッチキーが押下されたとき、当該ワンタッチキーに登録されているキーワードでデータベース検索が行われることを特徴とする。
【００１１】
また、請求項２に係る発明の画像通信装置は、短縮ダイヤルを指定することにより宛先指定を行う画像通信装置において、上記短縮ダイヤルにデータベース検索用のキーワードを登録可能とし、キーワードが登録されている短縮ダイヤルが指定されたとき、当該短縮ダイヤルに登録されているキーワードでデータベース検索が行われることを特徴とする。
【００１２】
また、請求項３に係る発明の画像通信装置は、宛先が記憶されたアドレス帳により宛先を指定する画像通信装置において、アドレス帳の宛先にデータベース検索用のキーワードを登録可能とし、キーワードが登録されたアドレス帳の宛先が選択されたとき、当該宛先に登録されているキーワードでデータベース検索が行われることを特徴とする。
【発明の効果】
【００１３】
請求項１〜請求項３に係る発明の画像通信装置によれば、ワンタッチキー、短縮ダイヤル、あるいはアドレス帳の宛先にデータベース、例えば、ＬＤＡＰ検索用のキーワードを登録することができるので、ＬＤＡＰ検索用のキーワードが登録されたワンタッチキー、短縮ダイヤル、あるいはアドレス帳の宛先を指定することにより、簡単な操作でＬＤＡＰ検索を行うことができ、容易に画像送信を行うことができる。
【実施例】
【００１４】
以下、本発明の画像通信装置の実施例について、図面を用いて説明する。図１は本発明の画像通信装置としてのデジタル複合機を備えたシステムのネットワーク構成例を示す図であり、図２はデジタル複合機のハードウェア構成を示すブロック図である。
【００１５】
図１に示すネットワーク構成図において、１はデジタル複合機、２は、ＬＤＡＰサーバ、３、４・・・はパソコン、５は公衆交換電話網（ＰＳＴＮ）、６はＬＡＮ（Local Area Network）、７はインターネット網である。
デジタル複合機１はコピーモード、プリンタモード、ファクスモードの各機能を備えるとともに、メール送信機能も備え、ＰＳＴＮ５及びＬＡＮ６に接続されており、このＬＡＮ６にＬＤＡＰサーバ２や複数のパソコン３、４・・・が接続されている。また、このＬＡＮ６はインターネット網７にも接続されており、デジタル複合機１はこのインターネット網７を介してメールの送受信を行うことが可能である。
【００１６】
ＬＤＡＰサーバ２は多数のメールアドレスあるいはＦＡＸ電話番号と各アドレスまたは電話番号の相手に関する情報をデータベースとして備えており、デジタル複合機１からキーワードを受信すると、そのキーワードに基づいて上記の相手先に関する情報の検索を行い、検索結果のメールアドレスまたはＦＡＸ電話番号をデジタル複合機１に返送する。
【００１７】
図２はデジタル複合機１の制御系の構成を示す概略ブロック図であり、図に示すように、デジタル複合機１はＣＰＵ１１、ＲＯＭ（Read Only Memory）１２、ＲＡＭ（Random Access Memory）１３、表示・操作部１４、読取部１５、画像メモリ１６、記録部１７、コーデック１８、モデム１９、ネットワーク制御ユニットＮＣＵ２０、及びＬＡＮインターフェース（Ｉ／Ｆ）２１から構成され、各部がバス２２を介して接続されている。
【００１８】
ＣＰＵ１１はバス２２を介してデジタル複合機１のハードウェア各部を制御するとともに、ＲＯＭ１２に記憶されたプログラムに基づいて各種のプログラムを実行し、ＲＯＭ１２はデジタル複合機の動作に必要な種々のプログラムや操作メッセージ等を予め記憶している。また、ＲＡＭ１３はＳＲＡＭ等で構成され、プログラムの実行時に発生する一時的なデータを記憶するとともに、ワンタッチキーデータを記憶するワンタッチキーデータ記憶領域２３を備えている。
【００１９】
表示・操作部１４は、図３に示すように、デジタル複合機１の動作状態を表示したり、種々の機能の操作画面の表示を行うＬＣＤ表示部３１と、デジタル複合機１を操作するための多数の操作キーよりなる操作部とから構成され、デジタル複合機１の操作パネルに設けられている。ＬＣＤ表示部３１にはタッチパネルスイッチが配設されており、このＬＣＤ表示部３１に表示されたメニュー項目やワンタッチキー等の各種キーメニューの部分を押下することにより、対応するキーの選択または機能の実行を行うことができる。
また、操作部として、テンキー３２、スタートキー３３、リセットキー３４、ストップキー３５、十字キー３６、リターンキー３７、セットキー３８、ＦＡＸ切替キー３９、コピー切替キー４０、スキャナ切替キー４１等の各種キーが設けられている。
【００２０】
読取部１５はオートドキュメントフィーダー（ＡＤＦ）やフラットベッドスキャナ（ＦＢＳ）等の読取り用原稿載置台を備え、ＣＣＤ等を利用したスキャナで原稿を読み取り、ドットイメージデータを出力する。
また、画像メモリ１６は、ＤＲＡＭ等を用いて構成され、送信すべきイメージデータまたは受信したイメージデータあるいは読取部１５で読み取ったイメージデータを記憶し、記録部１７は電子写真方式等のプリンタ装置を備え、受信したデータ、コピー原稿データあるいは外部のパソコンから送信されたプリントデータをプリントアウトする。
【００２１】
コーデック１８は所定のプロトコルに対応して符号化・復号するものであり、読み取った原稿の画像データを送信するためにＭＨ、ＭＲまたはＭＭＲ方式により符号化し、外部から受信した画像データを復号するとともに、電子メールに添付可能なファイルとして一般的に利用される画像フォーマットであるＴＩＦＦ方式等にも対応して符号化、復号する。
【００２２】
モデム１９はバス２２に接続されており、ファクシミリ通信が可能なファクスモデムとしての機能を有し、このモデム１９は同様にバス２２に接続されたＮＣＵ２０と接続されている。ＮＣＵ２０はアナログ回線の閉結及び開放の動作を行うハードウェアであり、必要に応じてモデム１９をＰＳＴＮ５に接続する。
【００２３】
また、ＬＡＮインターフェース２１はＬＡＮ６に接続され、外部のパソコンからのデータあるいはインターネット網７からの信号をＬＡＮ６を介して受信する一方、ＬＡＮ６に対して信号やデータを送信するものであり、信号変換やプロトコル変換などのインターフェース処理を実行する。
【００２４】
デジタル複合機１は上記のような構成を備えており、ファクシミリ送信時には、原稿の画像データが読取部１５で読み取られ、コーデック１８で圧縮されて画像メモリ１６に蓄積される。この圧縮された画像データが画像メモリ１６から読み出されてモデム１９で変調され、ＮＣＵ２０からＰＳＴＮ５を通して通信相手先に送信される。また、ファクシミリ受信時には、受信した画像データがモデム１９で復調され、画像メモリ１６に蓄積された後、コーデック１８で復号されて記録部１７により印刷される。
【００２５】
一方、ＲＡＭ１３のワンタッチキーデータ記憶領域２３には、図４に示すように、各ワンタッチキー毎に「見出し」、「データ」、「属性」の各記憶領域が設けられ、「見出し」欄には、例えば、「○○株式会社」等の該当するワンタッチキーの表題が記憶されている。また、「データ」欄にはメールアドレス、ＦＡＸ電話番号、ＬＤＡＰ検索用のキーワードが記憶され、「属性」欄にはそのワンタッチキーのデータの属性、すなわち、ＦＡＸ電話番号、メールアドレス、ＬＤＡＰキーワードのいずれかの種別が記憶されている。
上記のＬＤＡＰ検索用キーワードとしては、様々なキーワードを使用することができ、また、検索もアンド条件検索、オア条件検索、先端一致検索等の様々な検索条件を設定することが可能である。
【００２６】
次に、ユーザがワンタッチキーを用いてＬＤＡＰ検索を行う場合の作用について図５のフローチャートを用いて説明する。
ユーザがＬＣＤ表示部３１のメニュー画面でワンタッチダイヤル送信を選択すると、ＣＰＵ１１は図５のフローチャートに示すプログラムを開始し、まず、ＬＣＤ表示部３１の表示画面に図６に示すようなワンタッチ送信の宛先指定の初期画面を表示する（ステップ１０１）。
この画面には、図に示すように、ＦＡＸ、ＬＤＡＰ、メールのタグ５１、５２、５３が表示されており、いずれかのタグ、例えば、ＬＤＡＰのタグ５２を押下すると、ＬＤＡＰの属性に含まれる宛先を表示した複数のワンタッチキー５４が表示される。この表示内容は、「次頁」キー５５、「前頁」キー５６を押下することにより順次表示を切り替えることができ、また、「終了」キー５７を押下することによりメニュー画面に復帰することができる。
【００２７】
また、いずれかのワンタッチキー５４が押下されたとき、その登録データ、すなわち、ＦＡＸ電話番号、メールアドレス、あるいはＬＤＡＰ検索キーワードが宛先表示欄５８に表示され、その後スタートキー３３が押下されると、送信処理が実行される。
【００２８】
ＬＣＤ表示部３１にワンタッチ送信の宛先指定初期画面を表示した後、ＣＰＵ１１はワンタッチキーのいずれかが選択され、スタートキー３３が押下されたか否かを判別することにより、ワンタッチ送信の開始か否かを判定する（ステップ１０２）。ワンタッチ送信開始と判定した場合、ＣＰＵ１１は選択されたワンタッチキーの属性がＬＤＡＰか否かを判定し（ステップ１０３）、選択されたワンタッチキーの属性がＬＤＡＰでないと判定した場合、ワンタッチキーデータ記憶領域２３から送信相手先情報を読み出し、その送信相手先情報がＦＡＸ番号か否かを判定する（ステップ１０４）。
【００２９】
送信先相手情報がＦＡＸ番号であった場合、ＣＰＵ１１は送信相手先のＦＡＸ番号をモデム１９、ＮＣＵ２０を制御してＰＳＴＮ５に送出させ、通信が確立すると、画像メモリ１６に蓄積されている送信画像データをモデム１９で変調した後、ＮＣＵ２０からＰＳＴＮ５を通して相手先にファクシミリ送信する（ステップ１０５）。
また、ステップ１０４で送信相手先情報がＦＡＸ番号でないと判定した場合、ＣＰＵ１１は画像メモリ１６に蓄積されている受信画像データを所定のファイル形式、例えば、ＴＩＦＦ形式ファイルに変換して電子メール用の添付ファイルを作成し、作成した添付ファイルを電子メールに添付して送信宛先のメールアドレスに宛てて送信する（ステップ１０６）。
【００３０】
一方、ステップ１０３で選択されたワンタッチキーの属性がＬＤＡＰであると判定した場合、ＣＰＵ１１はそのワンタッチキーに登録されたＬＤＡＰ検索用キーワードをワンタッチキーデータ記憶領域２３から読み出し、ＬＡＮインターフェース２１、ＬＡＮ６を介してＬＤＡＰサーバ２に送信することにより、ＬＤＡＰ検索を起動する（ステップ１０７）。
これにより、ＬＤＡＰサーバ２がデジタル複合機１から受信したＬＤＡＰ検索用キーワードに基づいて相手先に関する情報の検索を行い、検索に該当する相手先のメールアドレスまたはＦＡＸ電話番号を抽出してデジタル複合機１に返送する。
【００３１】
ＬＤＡＰ検索を起動した後、ＣＰＵ１１はＬＤＡＰサーバ２から検索結果を受信したか否かを判定しており（ステップ１０８）、ＬＤＡＰサーバ２から検索結果を受信すると、送信相手先情報がＦＡＸ番号か否かを判定し（ステップ１０４）、上記と同様に、送信先相手情報がＦＡＸ番号であった場合、ファクシミリ送信し（ステップ１０５）、送信相手先情報がＦＡＸ番号でないと判定した場合、メール送信を行う（ステップ１０６）。
なお、検索結果として複数のメールアドレスまたはＦＡＸ電話番号の返送を受けた場合には、それぞれの相手先情報毎にＦＡＸ番号か否かを判別して同報送信を行う。
【００３２】
以上のように、本発明の画像通信装置によれば、ワンタッチキーにＬＤＡＰ検索用のキーワードを登録することができるので、ＬＤＡＰ検索用のキーワードが登録されたワンタッチキーを指定することにより、簡単な操作でＬＤＡＰ検索を行うことができる。
【００３３】
なお、上記の実施例では、ＬＤＡＰ検索の結果により直ちに送信処理を開始したが、ＬＤＡＰ検索の結果を表示部に表示させ、その中から送信先を選択するようにすることも可能である。
また、上記の実施例では、各ワンタッチキーの属性を登録し、その属性によりＬＤＡＰ検索用キーワードか否かを判定したが、ワンタッチキーのデータに基づいてＬＤＡＰ検索用キーワードか否かを判定することもできる。
さらに、上記の実施例では、ＬＣＤ表示部に表示されたワンタッチキーによりＬＤＡＰ検索を行ったが、操作部に設けられたハードウェアのワンタッチキーを利用することも可能である。
【００３４】
また、上記の実施例では、ＬＤＡＰサーバをデジタル複合機が設置されたＬＡＮに設けたが、このＬＤＡＰサーバを外部のネットワークに設けることもできる。
さらに、上記の実施例では、ワンタッチキーにＬＤＡＰ検索用のキーワードを登録したが、短縮ダイヤルやアドレス帳の宛先にＬＤＡＰ検索用のキーワードを登録し、ＬＤＡＰ検索用のキーワードが登録された短縮ダイヤルまたはアドレス帳の宛先を選択することによりＬＤＡＰ検索を行えるようにすることも可能である。
また、上記の実施例では、ＥメールアドレスやＦＡＸ電話番号が登録されるデータベースとしてＬＤＡＰを例として説明したが、ＥメールアドレスやＦＡＸ電話番号が登録されるその他のデータベースを使用することもできる。
さらに、上記の実施例では、本発明の画像通信装置をデジタル複合機に適用した場合について説明したが、本発明の画像通信装置は通常のファクシミリ装置等の他の画像通信装置にも適用することができる。
【図面の簡単な説明】
【００３５】
【図１】本発明の画像通信装置としてのデジタル複合機を備えたシステムのネットワーク構成例を示す図である。
【図２】デジタル複合機のハードウェア構成を示すブロック図である。
【図３】デジタル複合機の操作パネルに設けられる表示・操作部の詳細を示す図である。
【図４】ワンタッチキーデータ記憶領域に記憶される各ワンタッチキー毎の記憶内容の一例である。
【図５】ワンタッチキーを用いてＬＤＡＰ検索を行う場合の作用を示すフローチャートである。
【図６】ＬＣＤ表示部に表示されるワンタッチ送信の宛先指定の初期画面の一例を示す図である。
【符号の説明】
【００３６】
１  デジタル複合機
２  ＬＤＡＰサーバ
３、４  パソコン
５  ＰＳＴＮ
６  ＬＡＮ
７  インターネット網
１１  ＣＰＵ
１２  ＲＯＭ
１３  ＲＡＭ
１４  表示・操作部
１５  読取部
１６  画像メモリ
１７  記録部
１８  コーデック
１９  モデム
２０  ＮＣＵ
２１  ＬＡＮ  Ｉ／Ｆ
２２  バス
２３  ワンタッチキーデータ記憶領域
３１  ＬＣＤ表示部
【図１】
2006203642.tif 000003
【図２】
2006203642.tif 000004
【図３】
2006203642.tif 000005
【図４】
2006203642.tif 000006
【図５】
2006203642.tif 000007
【図６】
2006203642.tif 000008